(57)【要約】  【課題】  前開き部分の構成を工夫することによって、局部取り出し操作を簡易にすることができる下着と一体構成の男性用ズボン下を提供する。  【解決手段】  臀部及び左右の腰脇部を覆う身頃地６Ｌ，６Ｒと下腹部前面を覆い前開き開口４を構成する前立て部８ａ，８ｂとを有するズボン下本体部２と、前記ズボン下本体部２の内部に設けられる下着部３とを備えた男性用ズボン下である。男性用ズボン下１の前記下着部３は、臀部及び左右の腰脇部を覆う身頃下着地１６Ｌ，１６Ｒとを備え、前記ズボン下本体部２の身頃地６Ｌ，６Ｒと供に前記前立て部８に縫着されている。【選択図】  図２
2014025181.tif 000002
【特許請求の範囲】
【請求項１】
臀部及び左右の腰脇部を覆う身頃地と下腹部前面を覆い前開き開口を構成する前立て部とを有するズボン下本体部と、前記ズボン下本体部の内部に設けられる下着部とを備えた男性用ズボン下において、
前記下着部は、臀部及び左右の腰脇部を覆う身頃下着地を備え、前記ズボン下本体部の身頃地と供に前記前立て部に縫着されていることを特徴とする、男性用ズボン下。
【請求項２】
前記前立て部は、上部前立て地と下部前立て地とを有し、前記上部前立て地と下部前立て地とが上下方向にずれた状態に部分的に重なり合って前記前開き開口を構成することを特徴とする、請求項１に記載の男性用ズボン下。
【請求項３】
前記身頃下着地は、前記身頃地と前立て部及び前記身頃地の脚部分に位置する脚部縫製ラインの部位で筒状に縫着されていることを特徴とする、請求項１又は２に記載の男性用ズボン下。
【請求項４】
さらに、前記ズボン下本体部は、腰部を締めるウエストゴム部を備え、前記ウエストゴム部と身頃地及び前立て部との縫製ラインと同じ部位で前記下着部の身頃下着地と縫着していることを特徴とする、請求項１から３のいずれか１つに記載の男性用ズボン下。
【請求項５】
前記前立て部は、前記上部前立て地が表側に位置し、前記下部前立て地が裏側に位置するように配置されていることを特徴とする、請求項１から４のいずれか１つに記載の男性用ズボン下。
【請求項６】
前記前立て部は、前記ズボン下本体部の上部前立て地と下部前立て地と同形の当て布を有し、
前記当て布は、前記下着部と同じ種類の生地で構成されていることを特徴とする、請求項１から５のいずれか１つに記載の男性用ズボン下。
【請求項７】
前記身頃地及び身頃下着地は、それぞれ左右に分割して設けられており、前記左右の身頃地同士の縫製ラインと同じ部位で前記左右の身頃下着地が一体的に縫着されていることを特徴とする、請求項１から６のいずれか１つに記載の男性用ズボン下。
【発明の詳細な説明】
【技術分野】
【０００１】
本発明は、下着が一体的に設けられた男性用ズボン下に関する。
【背景技術】
【０００２】
寒さが厳しい冬期においては、防寒のために、男性用下着と外装着に加えて、ズボン下を着用することが一般的になっている。このため、冬期においては、男性の下半身用着は、トランクスやブリーフなどの下着、パッチ、ステテコ、タイツなどのズボン下、スラックス、スーツなどの外装着の３枚を着用する。
【０００３】
そして、これらの３枚の下半身用着は、それぞれ用便のための前開き部がそれぞれ設けられており、３枚の下半身用着それぞれの衣服の前開き部を１枚ずつ開放する必要があった。特に、スラックスやスーツなどの外挿着は前開き部がファスナーで開閉する構造が一般的であり開閉が容易であるが、下着及びズボン下は縦開きの打合わせ構造になっているため、まず、左側に設けられた表側開口部に手を入れ次に右側に設けられた裏側開口部を捲るという作業を、ズボン下及び下着のそれぞれに対して行う必要があり、局部取り出し操作が面倒であるという問題があった。
【０００４】
すなわち、防寒のために下半身用着を重ね着することにより、操作の煩雑性と確実性を犠牲にするものであった。この局部取り出し操作を簡易にするために、種々の男性用下着が知られており、例えば、特許文献１（特開２０００−１９９１０１号公報）や特許文献２（特開２００９−２４３０００号公報）では、前開き部の構成を工夫した男性用下着が公知となっている。
【０００５】
また、特許文献３（特開２００１−１８１９１２号公報）では、インナーとズボン本体とを着脱自在に配置したインナー付きズボンが記載されている。このズボンは、ズボン本体のスライドファスナーにより前開きを可能とする一方、インナーは予めズボン本体の前開き部分を開口状態に構成する。
【先行技術文献】
【特許文献】
【０００６】
【特許文献１】特開２０００−１９９１０１号公報
【特許文献２】特開２００９−２４３０００号公報
【特許文献３】特開２００１−１８１９１２号公報
【発明の概要】
【発明が解決しようとする課題】
【０００７】
しかし、引用文献１及び２の男性用下着は、前開き部分の構成を工夫することによって操作のしやすさを向上させたものであるが、下着単独の構成に留まり、この前開き構造をズボン下に適用したとしても、２枚の下半身用着の操作を必要とする点では、操作性の向上を図ることは不可能であった。
【０００８】
また、特許文献３のズボンは、インナーに前開き構造を設けることなく、常時開口した孔を設けているので、ズボン本体の前開き部分のみを操作することで、取り出し可能であるが、インナーの開口部分の周縁が局部近傍に位置することから履き心地が悪くなるという問題があった。
【０００９】
したがって、本発明が解決しようとする技術的課題は、前開き部分の構成を工夫することによって、局部取り出し操作を簡易にすることができる下着と一体になった男性用ズボン下を提供することである。
【課題を解決するための手段】
【００１０】
本発明は、上記技術的課題を解決するために、以下の構成の男性用ズボン下を提供する。
【００１１】
本発明の第１態様によれば、臀部及び左右の腰脇部を覆う身頃地と下腹部前面を覆い前開き開口を構成する前立て部とを有するズボン下本体部と、前記ズボン下本体部の内部に設けられる下着部とを備えた男性用ズボン下において、
前記下着部は、臀部及び左右の腰脇部を覆う身頃下着地を備え、前記ズボン下本体部の身頃地と供に前記前立て部に縫着されていることを特徴とする、男性用ズボン下を提供する。
【００１２】
本発明の第２態様によれば、前記前立て部は、上部前立て地と下部前立て地とを有し、前記上部前立て地と下部前立て地とが上下方向にずれた状態に部分的に重なり合って前記前開き開口を構成することを特徴とする、第１態様の男性用ズボン下を提供する。
【００１３】
本発明の第３態様によれば、前記身頃下着地は、前記身頃地と前立て部及び前記身頃地の脚部分に位置する脚部縫製ラインの部位で筒状に縫着されていることを特徴とする、第１又は第２態様の男性用ズボン下を提供する。
【００１４】
本発明の第４態様によれば、さらに、前記ズボン下本体部は、腰部を締めるウエストゴム部を備え、前記ウエストゴム部と身頃地及び前立て部との縫製ラインと同じ部位で前記下着部の身頃下着地と縫着していることを特徴とする、第１から第３態様のいずれか１つの男性用ズボン下を提供する。
【００１５】
本発明の第５態様によれば、前記前立て部は、前記上部前立て地が表側に位置し、前記下部前立て地が裏側に位置するように配置されていることを特徴とする、第１から第４態様のいずれか１つの男性用ズボン下を提供する。
【００１６】
本発明の第６態様によれば、前記前立て部は、前記ズボン下本体部の上部前立て地と下部前立て地と同形の当て布を有し、
前記当て布は、前記下着部と同じ種類の生地で構成されていることを特徴とする、第１から第５態様のいずれか１つの男性用ズボン下を提供する。
【００１７】
本発明の第７態様によれば、前記身頃地及び身頃下着地は、それぞれ左右に分割して設けられており、前記左右の身頃地同士の縫製ラインと同じ部位で前記左右の身頃下着地が一体的に縫着されていることを特徴とする、第１から第６態様のいずれか１つに記載の男性用ズボン下を提供する。
【発明の効果】
【００１８】
本発明によれば、下着と一体になったズボン下において、前立て部をズボン下本体部と下着部とで共用することができるので、取り出し操作を一度で行うことができる。したがって、操作を簡易にすることが可能となる。
【００１９】
本発明の第２態様によれば、また、前開き部を上下方向に開閉するように構成することで、利用者の体格によって、入れ子構造になったズボン下本体部と下着部の横方向への突っ張りをなくすことができる。したがって、装着感に優れ、操作を簡易にすることができる。
【００２０】
本発明の第３態様によれば、身頃地の構成として、利用者の臀部に沿った形状に縫製することが可能であり、また、大腿部の近傍では、折り返し構造により利用者の脚に相当する筒状部を作成することができる。よって、縫製を簡単にすることができ、製造工程の省略可を図ることができる。また、股下部分では、比較的記事に余裕を持たせて前立て部と身頃地と一体的に縫着可能であるため、ズボン下本体部と下着部とがばらばらにならず、また、装着感を阻害することもない。
【００２１】
本発明の第４態様によれば、ウエストゴム部を共用にすることにより、ウエストの部分を締め付けるゴムの数を少なくすることができる。したがって、腰部の締め付けが少なく装着感に優れ、着脱衣しやすい下半身用着とすることができる。
【００２２】
本発明の第５態様によれば、前立て部は上部前立て地が表に位置することで、下から上向きの前開き開口となり、操作性に優れたものとすることができる。
【００２３】
本発明の第６態様によれば、ズボン下本体部と下着部とにそれぞれ前立て部を設けることで、当該部分を厚く丈夫に構成することができると共に、両者の前立て部が縫着されていることにより、一度の操作ですむことができるため、操作性に優れたものとすることができる。
【００２４】
本発明の第７態様によれば、臀部のラインに沿ってズボン下本体部と下着部とが縫製されているため、脱衣時などに両者が乖離して下着部が裏返った状態にならず、一度に着脱衣できるので手間を軽減することができる。
【図面の簡単な説明】
【００２５】
【図１】本発明の第１実施形態にかかる男性用ズボン下の外観構成を模式的に示す斜視図である。
【図２】図１の男性用ズボン下の生地片の配置例を模式的に示した分解斜視図である。
【図３】図１のIII−III線における断面図である。
【図４】裏返した状態にある図１の男性用ズボン下を正面から見た状態を模式的に示す図である。
【図５】裏返した状態にある図１の男性用ズボン下の股下部分の構成を模式的に示す図である。
【図６】図１のVI−VI線における断面図である。
【図７】本発明の第２実施形態にかかる男性用ズボン下の外観構成を模式的に示す斜視図である。
【図８】図７の男性用ズボン下の変形例であり、前当て部の構成を模式的に示す斜視図である。
【発明を実施するための形態】
【００２６】
（第１実施形態）
以下、本発明の実施形態に係る男性用ズボン下について、図面を参照しながら説明する。図１から図６は、本発明の第１実施形態にかかる男性用ズボン下の構成を示したものであり、特に、下着が一体的に設けられたものである。
【００２７】
図１に示すズボン下１は、ズボン下本体部２の内部に下着部３が設けられており、共通の穿き口４からはき始め穿き口の周りに設けられているウエストゴム部５により、利用者の腰部を締め付けることによって装着するものである。ズボン下本体部２と下着部３とが一体的に設けられているため、着脱衣の動作を共通にすることができ、手間を軽減することができる。
【００２８】
ズボン下本体部２は、パッチ、ステテコ、タイツなどのように、利用者の脚部を被覆するように構成される。ズボン下本体部２の長さは、防寒の程度に応じて長いものでは足首まで覆うようなタイツ状のものや、短いものでは膝上までのものとすることができる。
【００２９】
下着部３は、トランクスやブリーフなどのように、利用者の下半身部、具体的には、鼠蹊部と臀部を覆い、大腿部の上側部分までを覆う。下着部３は、通常の男性用下半身下着と同様の機能を有する。
【００３０】
ズボン下本体部２は、利用者の背面部から側面を通って前面部を被覆する左右の身頃地６Ｌ，６Ｒを有している。左右の身頃地６Ｌ，６Ｒは、それぞれの背面内側縁部７が縫製ライン７Ｓとなっており、左右が連結された状態になっている。
【００３１】
また、ズボン下本体部２の下半身の前面側、鼠蹊部の周囲には、前立て部８が設けられている。前立て部８は、一部が重なるようにして上下にずれた状態に配列された上部前立て地８ａと下部前立て地８ｂとを有し、当該２つの前立て地８ａ，８ｂの間を前開き開口９とするものである。
【００３２】
また、前立て部８の上部前立て地８ａ，下部前立て地８ｂは、それぞれこれに重ねられて配置される当て布８ｃ、８ｄとを有する。上部当て布８ｃと下部当て布８ｄは、それぞれ、上部前立て地８ａ，下部前立て地８ｂに重ねられるように配置され、それぞれ周縁が縫製されている。
【００３３】
なお、図３に示すように、上部前立て地８ａと上部当て布８ｃは、その下辺１８が折り返されて縫製され、２枚重ねの１つの生地のように構成される。同様に、下部前立て地８ｂと下部当て布８ｄは、その上辺１９が折り返されて縫製されており、１枚の生地のように構成される。なお、それぞれの側縁は前立て部縫製ライン１１で縫製される。
【００３４】
前立て部８は、左右の身頃地６Ｌ，６Ｒの前方内側縁部１０と前立て部縫製ライン１１により縫い付けられている。前立て部縫製ライン１１は、下方へ向かうにしたがって内側に傾斜するように斜めに設けられており、後述するように下着部３と一体的に縫製されている。下着部３とズボン下本体部２との縫製については、詳細を後述する。
【００３５】
左右の身頃地６Ｌ，６Ｒの脚部分は、脚部縫製ライン１２で互いに縫製されて筒状をなし、利用者の脚部を被覆する。また、左右の身頃地６Ｌ，６Ｒの股下側縁部１３は、下部前立て地８ｂの下端側縁部１４に股下縫製ライン１３Ｓにより縫製される。
【００３６】
下着部３は、臀部及び左右の腰脇部を覆う身頃下着地１５Ｌ，１５Ｒを有する。左右の身頃下着地１５Ｌ，１５Ｒは、それぞれの背面内側縁部１６が縫製ライン１６Ｓとなっており、左右が連結された状態になっている。
【００３７】
図６に示すように、身頃下着地１５Ｌ，１５Ｒの前方内側縁部１７は、前立て部８に前立て部縫製ライン１１において縫製されている。したがって前立て部縫製ライン１１には、身頃地６Ｌ，６Ｒ，前立て部８、身頃下着地１５Ｌ，１５Ｒの３つの生地が縫着されることとなる。
【００３８】
身頃下着地１５Ｌ，１５Ｒの股下側縁部２０は、下部前立て地８ｂの下端側縁部１４に股下縫製ライン１３Ｓにより縫製される。したがって股下縫製ライン１３Ｓには、身頃地６Ｌ，６Ｒ，前立て部８、身頃下着地１５Ｌ，１５Ｒの３つの生地が縫着されることとなる。
【００３９】
なお、上記の前立て部８の上部前立て地８ａと上部当て布８ｃとに用いられる当て布８ｃ，８ｄは、それぞれ、下着部３の生地と同種類のものを用いることが好ましい。
【００４０】
ウエストゴム部５は、幅寸法が１〜５ｃｍ程度の帯状のゴムベルトの両端をつなぎ合わせて環状に形成したものである。ウエストゴム部５は、身頃地６Ｌ，６Ｒ及び身頃下着地１５Ｌ，１５Ｒのそれぞれの上側縁部２１，２２に縫製ライン５Ｓにより縫い付けられる。なお、このとき、ウエストゴム部のつなぎ目部分が身頃下着地１５Ｌ，１５Ｒの縫製ライン１６Ｓの延長線上に配置されるようにすることが好ましい。
【００４１】
以上のような組立て構成を有する男性用ズボン下について、その構成をさらに詳細に説明する。
【００４２】
図３に示すように本実施形態にかかる男性用ズボン下１は、ウエストゴム部５の下端の縫製ライン５Ｓにより、ズボン下本体部２と下着部３とが一体的に縫着されているため、着衣時は、ウエストゴム５の穿き口４に脚を挿入することで、一度で着衣可能であり、下着とズボン下を別々に着衣するよりも手間が省力される。
【００４３】
また、図４，図５に示すように、ズボン下本体部２と下着部３とは、前立て部縫製ライン１１及び股下縫製ライン１３Ｓにおいて縫着連結されており、脱衣時においても下着部３が裏返ったりすることがない。
【００４４】
また、前立て部８の前開き開口９を構成する上下にずらして配置される生地は、ズボン下本体部２のものと下着部３のものとがそれぞれ重ねられて１枚の生地のように構成されており、取り出し操作の手間を１度で済ませることができる。
【００４５】
なお、前立て部８は、上下に生地をずらすことにより、横方向に開口する前開き開口９を構成するものであり、それぞれ当て布を設けず１枚の生地のみで構成されていてもよいが、特にズボン下本体部２と下着部３の生地の種類が異なるような場合は、本実施形態のように当て布構造を採用することが好ましい。例えば、ズボン下本体部２は、防寒性を重視した生地を採用する一方、下着部３は肌触りを重視した生地を採用することが好ましい。このため、例えば、前立て部を下着部３の生地のみで構成すると防寒性を確保できなくなり、ズボン下本体部２の生地のみで構成すると肌触りが悪くなる。
【００４６】
（第２実施形態）
次に本発明の第２実施形態について説明する。図７は、本発明の第２実施形態にかかるズボン下の構成を示す斜視図である。なお、図７は、下着部３の構成に特徴を有するため、下着部３を実線とすると共に、ズボン下本体部２を二点鎖線で示している。
【００４７】
本実施形態にかかるズボン下２１は、第１実施形態にかかるズボン下１と部分的に共通する構成を有しているので、当該部分については、説明を省略し、異なる点を中心に説明する。
【００４８】
本実施形態にかかるズボン下２１は、前立て部２２の構成において、第１実施形態にかかるズボン下１と異なる。すなわち、上側前立て地２２ａとともに前立て部２２を構成する、下側前立て地２２ｂが股下縫製ラインまでではなく、利用者の臀部側へ回り込み、ウエストゴム部２３まで到達している。
【００４９】
左右の身頃地２４Ｌ，２４Ｒは、前立て部縫製ライン１１において、前立て部２２と縫着されている。
【００５０】
下着部３の左右の身頃地２５Ｌ，２５Ｒは、左右の身頃地２４Ｌ，２４Ｒを前立て部２２に縫着する前立て部縫製ライン１１において、前立て部２２と縫着されている。ただし、股下部分２２ａにおいては、下側前立て地２２ｂと縫着されないため、前立て部縫製ライン１１は、部分的に左右の身頃地２４Ｌ，２４Ｒのみを縫製するように構成される。
【００５１】
なお、下側前立て地２２ｂは、一枚で構成されていてもよいし、複数に分割されて構成されていてもよい。複数に分割する場合は、股下の縫製ラインから前後側で分割することが好ましい。また、当て布を設けてもよい。
【００５２】
本実施形態では、前立て部が利用者の下腹部から股下を通って臀部までつながるように配置されているため、図８に示すように、変形例として、尿漏れ防止のために股下キャザー２７を設けることができる。なお、この場合、当て布及び股下キャザー２７は、防水地を用いることが好ましい。
【００５３】
さらに、前立て部２２を構成する上側前立て地２２ａ及び下側前立て地２２ｂを防水地で構成し、さらに、その当て布部を吸水地で構成することにより、尿漏れが外部にまで漏れ出さないようにすることができる。また、上側前立て地２２ａ及び下側前立て地２２ｂと当て布部との間に吸水パッドを挿入配置できるように開口を設けてもよい。
【００５４】
以上説明したように、上記実施形態にかかるズボン下によれば、ズボン下と下着を一体に構成することで、脱着衣がしやすく、また、前立て部を共通化しているので、取り出し操作を容易にすることができる。
【００５５】
また、前開き部を上下方向に開閉するように構成することで、利用者の体格によって、入れ子構造になったズボン下本体部と下着部の横方向への突っ張りが生じない。
【００５６】
なお、本発明は上記実施形態に限定されるものではなく、その他種々の態様で実施可能である。ズボン下本体部２と下着部３の見頃地は、本実施形態では、１枚の生地で構成されているが、例えば、前身頃と後ろ身頃に分割され、体側の部分で縫製されるように構成されていてもよい。
【００５７】
また、例えば、上記実施形態はいずれも、前立て部を上下方向に開閉させるものであるが、これに限定されるものではない。例えば、前立て部を構成する生地を左右方向にずらして配置し、左右方向に開口するものであってもよい。
【００５８】
また、利用者の腰部分でズボン下を止めるためのウエストゴム部の代わりに、例えば、紐やゴム紐などを腰部分に通し、これらを用いて腰部を締めるように構成することも可能である。
【符号の説明】
【００５９】
１，２１  ズボン下
２  ズボン下本体部
３  下着部
４  穿き口
５，２３  ウエストゴム部
６Ｌ，２４Ｌ  左側身頃地
６Ｒ，２４Ｒ  右側身頃地
７  背面内側縁部
８，２２  前立て部
８ａ，２２ａ  上部前立て地
８ｂ、２２ｂ  下部前立て地
８ｃ  上部当て布
８ｄ  下部当て布
９  前開き開口
１０  前方内側縁部
１１  前立て部縫製ライン
１２  脚部縫製ライン
１３  股下側縁部
１３Ｓ  股下縫製ライン
１４  下端側縁部
１５Ｌ  左側身頃下着地
１５Ｒ  右側
１６  背面内側縁部
２７  股下ギャザー
【図１】
2014025181.tif 000003
【図２】
2014025181.tif 000004
【図３】
2014025181.tif 000005
【図４】
2014025181.tif 000006
【図５】
2014025181.tif 000007
【図６】
2014025181.tif 000008
【図７】
2014025181.tif 000009
【図８】
2014025181.tif 000010